(57)【要約】【課題】ガラス、金属、プラスチックス、塗膜等といった表面や人体表面を安全にかつ拭き残りなく清浄にすることが出来るウェットワイパーを提供する。【解決手段】繊維シートに、ＬＤ５０の値が３０１ｍｇ／ｋｇ以上の化合物を含有するワイパー用組成液およびこれを含浸させてなるウェットワイパー。【選択図】　選択図なし【特許請求の範囲】
【請求項１】
ＬＤ５０の値が３０１ｍｇ／ｋｇ以上の化合物と水を含有するワイパー用組成液。
【請求項２】
ＬＤ５０の値が３０１ｍｇ／ｋｇ以上の化合物を０．００１〜３０質量％含有する請求項１のワイパー用組成液。
【請求項３】
ＬＤ５０の値が３０１ｍｇ／ｋｇ以上の化合物を０．００１〜２０質量％含有することを特徴とする請求項１のワイパー用組成液。
【請求項４】
ＬＤ５０の値が３０１ｍｇ／ｋｇ以上の化合物を０．００１〜５質量％含有することを特徴とする請求項１のワイパー用組成液。
【請求項５】
引火点が４０℃以上である、請求項１〜４のいずれかであるワイパー用組成液。
【請求項６】
ｐＨが４〜１０である請求項１〜５のいずれかであるワイパー用組成液。
【請求項７】
ＬＤ５０の値が３０１ｍｇ／ｋｇ以上の化合物が食品、食品添加物、口腔化粧品材料、界面活性剤、殺菌剤、防カビ剤、および帯電防止剤のうちのすくなくともひとつである請求項１〜６のいずれかであるワイパー用組成液。
【請求項８】
食品、食品添加物、口腔化粧品材料のすくなくともひとつを含有し、引火点が４０℃以上であるワイパー用組成液。
【請求項９】
食品、食品添加物、口腔化粧品材料のすくなくともひとつを含有し、ｐＨが４〜１０であるワイパー用組成液。
【請求項１０】
食品、食品添加物、口腔化粧品材料のすくなくともひとつが、界面活性剤、殺菌剤、防カビ剤、および帯電防止剤のうちのすくなくともひとつである請求項８または９のいずれかであるワイパー用組成液。
【請求項１１】
界面活性剤が、ポリグリセリン脂肪酸エステル類、ソルビタン脂肪酸エステル類、ショ糖脂肪酸エステル類よりなる群から選ばれる少なくとも１つの化合物である請求項７または１０のいずれかであるワイパー用組成液。
【請求項１２】
界面活性剤のＨＬＢの値が９以上であることを特徴とする請求項７、１０、１１のいずれかであるワイパー用組成液。
【請求項１３】
その組成液により拭き取った後の被拭材の表面抵抗が、１×１０１４（Ω）以下である請求項７、１０〜１２のいずれかであるワイパー用組成液。
【請求項１４】
帯電防止剤が、食品、食品添加物、口腔化粧品材料のすくなくともひとつである請求項１３のワイパー用組成液。
【請求項１５】
電導率が１×１０−５Ｓｍ−１以上である請求項７、１０〜１４のいずれかであるワイパー用組成液。
【請求項１６】
組成液の滅菌率が、９９％以上である請求項７または１０のいずれかであるワイパー用組成液。
【請求項１７】
水が塩素含有薬剤によって殺菌されたものである請求項１〜１６のいづれかであるワイパー用組成液。
【請求項１８】
水が濾過によって除菌されたものである請求項１〜１６のいづれかであるワイパー用組成液。
【請求項１９】
水が蒸留によって除菌されたものである請求項１〜１６のいづれかであるワイパー用組成液。
【請求項２０】
組成液中の微生物数が１ミリリットルあたり１０００個以下である請求項１〜１９のいづれかであるワイパー用組成液。
【請求項２１】
請求項１〜２０のいずれかであるワイパー用組成液を繊維シートに含浸させてなるウェットワイパー。
【請求項２２】
被拭材の除菌率が９９．９％以上である請求項２１のウェットワイパー。
【発明の詳細な説明】
【０００１】
【発明の属する技術分野】
本発明は、各種表面の清浄、殺菌、除菌、帯電防止、防曇、防汚等に用いられるワイパー用組成液およびウェットワイパーに関する。
【０００２】
【従来の技術】
平滑な表面を有するガラス、金属、プラスチックス、塗膜等といった表面や人体表面等の清浄化に、各種ウェットワイパー（湿潤ワイパー、ウエットティッシュなどとも呼ばれる）が知られている。これ等ウェットワイパーは、用途に応じて選定された清浄剤、殺菌剤等からなる配合成分を媒体に溶解または分散することにより調製した薬液組成物を紙や布等の基材に含浸させたものである。ウェットワイパーは使用時まで薬液組成物により湿潤状態にあるもので、媒体を乾燥除去した乾燥ワイパー（ドライワイパー）と区別される。ウェットワイパーは、使用に際しては、拭くだけで薬液と基材の作用により清浄等の目的が達せられ、クリーニング等の操作が非常に簡便に行えるのがその特徴である。
【０００３】
このようにウェットワイパーを用いることで作業の簡便化が達せられるが、一方において、ウェットワイパーで拭いたあとの表面に、ワイパーから移行した薬液組成物が残留するため、安全性についての細心の注意が必要である。特に台所廻りや食品に触れる可能性のある器物を対象とするワイパーの場合、被洗物が直接食品と接触する可能性があるため、人体に対して安全性が高いことが好ましい。また、人体を対象とするワイパーの場合も安全性が高い必要がある。
【０００４】
特開２０００−１０２４９２号公報にはゴミのリサイクルに供することができる生分解性の繊維シートに安全性が高い清浄用組成物を含浸させたウェットワイパーが開示されているが、生分解性の繊維シートを用いているため、清浄用組成物含浸時のウェットワイパーがカビやすく、また、清浄用組成物およびウェットワイパーが必ずしも手肌に優しいとは限らない問題点があった。
この様にこれまでのワイパー用組成液およびウェットワイパーに関する技術では、高い安全性と優れた洗浄性、帯電防止性能あるいは殺菌性を有し、かつ手肌にも優しいものは存在しなかった。
【０００５】
【特許文献１】
特開２０００−１０２４９２号公報
【０００６】
【発明が解決しようとする課題】
ガラス、金属、プラスチックス、塗膜等といった表面や人体表面を安全にかつ拭き残りなく清浄にすることが出来るワイパー用組成液を提供する。
また、ガラス、金属、プラスチックス、塗膜等といった表面や人体表面を安全に洗浄することができる洗浄ワイパー用組成液、及びガラス、プラスチックス、塗膜等といった絶縁体表面を安全に清浄し、かつ帯電防止性を付与することができる帯電防止ワイパー用組成液、各種表面や人体表面を安全に殺菌することができる殺菌ワイパー用組成液及びそれらのワイパーを提供する。
【０００７】
【課題を解決するための手段】
本発明者らは、ワイパー用組成液およびワイパー用組成液（湿潤液）を含浸させたウェットワイパーについて、上記課題を解決するために鋭意研究を重ねた結果、安全性の高い特定化合物からなる特定のワイパー用組成液およびワイパー用組成液を繊維シートに含浸させたウェットワイパーが驚くべき性能を発揮することを見出し、本発明を完成するに至った。
【０００８】
すなわち本発明は以下のとおりである。
発明の第１は、ＬＤ５０の値が３０１ｍｇ／ｋｇ以上の化合物と水を含有するワイパー用組成液、であり、
発明の第２は、ＬＤ５０の値が３０１ｍｇ／ｋｇ以上の化合物を０．００１〜３０質量％含有する請求項１のワイパー用組成液、であり、
発明の第３は、ＬＤ５０の値が３０１ｍｇ／ｋｇ以上の化合物を０．００１〜２０質量％含有することを特徴とする請求項１のワイパー用組成液、であり、
発明の第４は、ＬＤ５０の値が３０１ｍｇ／ｋｇ以上の化合物を０．００１〜５質量％含有することを特徴とする請求項１のワイパー用組成液、であり、
発明の第５は、引火点が４０℃以上である、請求項１〜４のいずれかであるワイパー用組成液、であり、
発明の第６は、ｐＨが４〜１０である請求項１〜５のいずれかであるワイパー用組成液、であり、
発明の第７は、ＬＤ５０の値が３０１ｍｇ／ｋｇ以上の化合物が食品、食品添加物、口腔化粧品材料、界面活性剤、殺菌剤、防カビ剤、および帯電防止剤のうちのすくなくともひとつである請求項１〜６のいずれかであるワイパー用組成液。
【０００９】
発明の第８は、食品、食品添加物、口腔化粧品材料のすくなくともひとつを含有し、引火点が４０℃以上であるワイパー用組成液、であり、
発明の第９は、食品、食品添加物、口腔化粧品材料のすくなくともひとつを含有し、ｐＨが４〜１０であるワイパー用組成液、であり、
発明の第１０は、食品、食品添加物、口腔化粧品材料のすくなくともひとつが、界面活性剤、殺菌剤、防カビ剤、および帯電防止剤のうちのすくなくともひとつである請求項８または９のいずれかであるワイパー用組成液、であり、
発明の第１１は、界面活性剤が、ポリグリセリン脂肪酸エステル類、ソルビタン脂肪酸エステル類、ショ糖脂肪酸エステル類よりなる群から選ばれる少なくとも１つの化合物である請求項７または１０のいずれかであるワイパー用組成液、であり、
発明の第１２は、界面活性剤のＨＬＢの値が９以上であることを特徴とする請求項７、１０、１１のいずれかであるワイパー用組成液、であり、
発明の第１３は、その組成液により拭き取った後の被拭材の表面抵抗が、１×１０１４（Ω）以下である請求項７、１０〜１２のいずれかであるワイパー用組成液、であり、
発明の第１４は、帯電防止剤が、食品、食品添加物、口腔化粧品材料のすくなくともひとつである請求項１３のワイパー用組成液、であり、
発明の第１５は、電導率が１×１０−５Ｓｍ−１以上である請求項７、１０〜１４のいずれかであるワイパー用組成液、であり、
【００１０】
発明の第１６は、組成液の滅菌率が、９９％以上である請求項７または１０のいずれかであるワイパー用組成液、であり、
発明の第１７は、水が塩素含有薬剤によって殺菌されたものである請求項１〜１６のいづれかであるワイパー用組成液、であり、
発明の第１８は、水が濾過によって除菌されたものである請求項１〜１６のいづれかであるワイパー用組成液、であり、
発明の第１９は、水が蒸留によって除菌されたものである請求項１〜１６のいづれかであるワイパー用組成液、であり、
発明の第２０は、組成液中の微生物数が１ミリリットルあたり１０００個以下である請求項１〜１９のいづれかであるワイパー用組成液、であり、
発明の第２１は、請求項１〜２０のいずれかであるワイパー用組成液を繊維シートに含浸させてなるウェットワイパー、であり、
発明の第２２は、被拭材の除菌率が９９．９％以上である請求項２１のウェットワイパー、である。
【００１１】
【発明の実施の形態】
以下、本願発明について、その好ましい態様を中心に、詳細に説明する。
本発明のワイパー用組成液は、ＬＤ５０の値が３０１ｍｇ／ｋｇ以上の化合物と水を含有するものである。ここでＬＤ５０とは、同一母集団に属する多数の動物の半数を死亡させる薬物量、すなわち５０％致死量であるが、本発明においてはラットまたはマウスまたはラビットのＬＤ５０値であり、これらの内の２つ以上の動物についてのＬＤ５０値が存在する場合は、それらのＬＤ５０値の内の最小値をいう。
【００１２】
本発明のワイパー用組成液で用いる化合物は、ＬＤ５０（ラットまたはマウスまたはラビット）の値が３０１ｍｇ／ｋｇ以上である必要がある。ＬＤ５０が３００ｍｇ／ｋｇ以下の化合物は劇物に相当し、人体に対して安全でないばかりか法的な様々な制限を受ける。本発明のワイパー用組成液で用いる化合物のＬＤ５０は、さらには２０００ｍｇ／ｋｇ以上であることが好ましい。
【００１３】
次に、本発明のワイパー用組成液で用いるＬＤ５０の値が３０１ｍｇ／ｋｇ以上の化合物の添加量は、０．００１〜３０質量％であることが好ましい。ワイパー用組成液の安全性の点で、ＬＤ５０の値が３０１ｍｇ／ｋｇ以上の化合物の添加量は３０質量％以下が好ましい。また、十分な洗浄性、抗菌性、帯電防止性、防曇性等の被洗物に付与される機能の点で、添加量は０．００１質量％以上が好ましい。ＬＤ５０の値が３０１ｍｇ／ｋｇ以上の化合物の添加量は、０．００１〜１０質量％であることがより好ましく、０．０１〜５質量％であることがさらに好ましい。
【００１４】
本発明のワイパー用組成液で用いるＬＤ５０の値が３０１ｍｇ／ｋｇ以上の化合物は、食品及び／又は食品添加物及び／又は口腔化粧品材料であることが好ましい。
ワイパー用組成液に用いられる食品とは、一般に食されて人体にとって悪い影響を与えないものである。食品添加物とは、食品添加物公定書にその化学名あるいは一般名が記載されているものである。また、口腔化粧品材料とは、化粧品種別許可基準の口腔化粧品の種別として認められている成分であり、口腔内の清浄口臭の防止等の目的で使用される化粧品材料をいう。
【００１５】
ワイパー用組成液に用いられるＬＤ５０の値が３０１ｍｇ／ｋｇ以上である化合物の例としては、油性原料、界面活性剤、殺菌剤、防カビ剤、増粘剤、湿潤剤等を挙げることができる。例えば油性原料としては、オリーブ油等の油脂類、ミツロウ等のロウ類、スクワラン等の炭化水素類、ヤシ油脂肪酸等の高級脂肪酸類、ミリスチン酸セチル等のエステル類、メチルポリシロキサン等のシリコーン油類等の油性原料等を挙げることができる。
【００１６】
また、界面活性剤としては、グリセリン脂肪酸エステル、親油型モノステアリン酸グリセリン等のグリセリン脂肪酸エステル類、モノオレイン酸ポリグリセリル、ペンタオレイン酸ポリグリセリル、デカオレイン酸ポリグリセリル等のポリグリセリン脂肪酸エステル類、モノステアリン酸ポリオキシエチレングリセリン等のポリオキシエチレングリセリン脂肪酸エステル類、モノラウリン酸ソルビタン、モノオレイン酸ソルビタン、トリオレイン酸ソルビタン等のソルビタン脂肪酸エステル類、モノステアリン酸ポリオキシエチレンソルビタン、トリオレイン酸ポリオキシエチレンソルビタン等のポリオキシエチレンソルビタン脂肪酸エステル類、モノラウリン酸ポリオキシエチレンソルビット、テトラオレイン酸ポリオキシエチレンソルビット等のポリオキシエチレンソルビット脂肪酸エステル類、ポリオキシエチレンラノリン、ポリオキシエチレンソルビットミツロウ等のポリオキシエチレンラノリン・ラノリンアルコール・ミツロウ誘導体、ポリオキシエチレンヒマシ油、ポリオキシエチレン硬化ヒマシ油等のポリオキシエチレンヒマシ油・硬化ヒマシ油類、ポリオキシエチレンコレスタノールエーテル等のポリオキシエチレンステロール・水素添加ステロール類、モノステアリン酸エチレングリコール、モノオレイン酸ポリエチレングリコール等のポリエチレングリコール脂肪酸エステル類、ポリオキシエチレンラウリルエーテル、ポリオキシエチレンセチルエーテル、ポリオキシエチレンベヘニルエーテル等のポリオキシエチレンアルキルエーテル類、ポリオキシエチレンポリオキシプロピレンセチルエーテル、ポリオキシエチレンポリオキシプロピレンデシルテトラデシルエーテル等のポリオキシエチレンポリオキシプロピレンアルキルエーテル類、ポリオキシエチレンノニルフェニルエーテル等のポリオキシエチレンアルキルフェニルエーテル類、ポリオキシエチレンステアリン酸アミド等のポリオキシエチレンアルキルアミン・脂肪酸アミド類、ポリオキシエチレンラウリルエーテルリン酸ナトリウム、ポリオキシエチレンセチルエーテルリン酸ナトリウム等のポリオキシエチレンアルキルエーテルリン酸・リン酸塩類、Ｎ−ラウロイル−Ｌ−グルタミン酸ナトリウム等のＮ−アシルアミノ塩酸類、ポリオキシエチレンラウリルエーテルリン酸等のポリオキシエチレンアルキルエーテルリン酸塩類、ラウロイルメチルタウリンナトリウム、ミリストイルメチルタウリンナトリウム等のＮ−アシルタウリン塩類、テトラデセンスルホン酸ナトリウム等のスルホン酸塩類、ラウリル硫酸ナトリウム等のアルキル硫酸塩類、ポリオキシエチレンラウリルエーテル硫酸ナトリウム等のポリオキシエチレンアルキルエーテル硫酸塩類、ラウリルジメチルアミノ酢酸ベタイン、ヤシ油脂肪酸アミドプロピルベタイン等の酢酸ベタイン型両性界面活性剤類、２−アルキル−Ｎ−カルボキシメチル−Ｎ−ヒドロキシエチルイミダゾリニウムベタイン等のイミダゾリン型両性界面活性剤類、モノミリスチン酸デカグリセリル、ショ糖脂肪酸エステル、ラウリルジアミノエチルグリシンナトリウム、塩酸アルキルジアミノエチルグリシン、塩化ベンザルコニウム、トリメチルグリシン、レシチン等の界面活性剤の中からＬＤ５０の値が３０１ｍｇ／ｋｇ以上であるものを挙げることができる。これらの界面活性剤の中でも特に、ソルビタン脂肪酸エステル類、ポリオキシエチレンソルビタン脂肪酸エステル類、酢酸ベタイン型両性界面活性剤類、ショ糖脂肪酸エステル、トリメチルグリシン、ラウリルジアミノエチルグリシンナトリウム及び塩酸アルキルジアミノエチルグリシン等が好ましい。
【００１７】
次に、本発明の洗浄ワイパー用組成液は、食品及び／又は食品添加物及び／又は口腔化粧品材料である、界面活性剤と、水を含有する。
洗浄ワイパー用組成液に用いられる界面活性剤の例としては、例えば、グリセリン脂肪酸エステル、親油型モノステアリン酸グリセリン等のグリセリン脂肪酸エステル類、モノオレイン酸ポリグリセリル、ペンタオレイン酸ポリグリセリル、デカオレイン酸ポリグリセリル、モノラウリン酸ヘキサグリセリル、モノラウリン酸デカグリセリル、モノミリスチン酸デカグリセリル、モノステアリン酸デカグリセリル、モノイソステアリン酸デカグリセリル等のポリグリセリン脂肪酸エステル類、モノステアリン酸ポリオキシエチレングリセリン等のポリオキシエチレングリセリン脂肪酸エステル類、モノラウリン酸ソルビタン、モノオレイン酸ソルビタン、トリオレイン酸ソルビタン等のソルビタン脂肪酸エステル類、モノステアリン酸ポリオキシエチレンソルビタン、トリオレイン酸ポリオキシエチレンソルビタン等のポリオキシエチレンソルビタン脂肪酸エステル類、モノラウリン酸ポリオキシエチレンソルビット、テトラオレイン酸ポリオキシエチレンソルビット等のポリオキシエチレンソルビット脂肪酸エステル類、ポリオキシエチレンラノリン、ポリオキシエチレンソルビットミツロウ等のポリオキシエチレンラノリン・ラノリンアルコール・ミツロウ誘導体、ポリオキシエチレンヒマシ油、ポリオキシエチレン硬化ヒマシ油等のポリオキシエチレンヒマシ油・硬化ヒマシ油類、ポリオキシエチレンコレスタノールエーテル等のポリオキシエチレンステロール・水素添加ステロール類、モノステアリン酸エチレングリコール、モノオレイン酸ポリエチレングリコール等のポリエチレングリコール脂肪酸エステル類、ポリオキシエチレンラウリルエーテル、ポリオキシエチレンセチルエーテル、ポリオキシエチレンベヘニルエーテル等のポリオキシエチレンアルキルエーテル類、ポリオキシエチレンポリオキシプロピレンセチルエーテル、ポリオキシエチレンポリオキシプロピレンデシルテトラデシルエーテル等のポリオキシエチレンポリオキシプロピレンアルキルエーテル類、ポリオキシエチレンノニルフェニルエーテル等のポリオキシエチレンアルキルフェニルエーテル類、ポリオキシエチレンステアリン酸アミド等のポリオキシエチレンアルキルアミン・脂肪酸アミド類、ポリオキシエチレンラウリルエーテルリン酸ナトリウム、ポリオキシエチレンセチルエーテルリン酸ナトリウム等のポリオキシエチレンアルキルエーテルリン酸・リン酸塩類、Ｎ−ラウロイル−Ｌ−グルタミン酸ナトリウム等のＮ−アシルアミノ塩酸類、ポリオキシエチレンラウリルエーテルリン酸等のポリオキシエチレンアルキルエーテルリン酸塩類、ラウロイルメチルタウリンナトリウム、ミリストイルメチルタウリンナトリウム等のＮ−アシルタウリン塩類、テトラデセンスルホン酸ナトリウム等のスルホン酸塩類、ラウリル硫酸ナトリウム等のアルキル硫酸塩類、ポリオキシエチレンラウリルエーテル硫酸ナトリウム等のポリオキシエチレンアルキルエーテル硫酸塩類、ラウリルジメチルアミノ酢酸ベタイン、ヤシ油脂肪酸アミドプロピルベタイン等の酢酸ベタイン型両性界面活性剤類、２−アルキル−Ｎ−カルボキシメチル−Ｎ−ヒドロキシエチルイミダゾリニウムベタイン等のイミダゾリン型両性界面活性剤類、モノミリスチン酸デカグリセリル、ショ糖ラウリン酸エステル等のショ糖脂肪酸エステル類、ラウリルジアミノエチルグリシンナトリウム、塩酸アルキルジアミノエチルグリシン、塩化ベンザルコニウム、トリメチルグリシン、レシチン、ポリオキシエチレン脂肪酸エステル、ポリオキシエチレンアルキルフェノールエーテル、アルキルジメチルアミンオキシドなどのノニオン界面活性剤、例えば、アルキルベンゼンスルホン酸塩、脂肪酸塩などのアニオン界面活性剤、例えば、塩化長鎖アルキルトリメチルアンモニウムなどのカチオン界面活性剤、アルキルベタインなどの両性界面活性剤を挙げることができる。本発明では、これらの界面活性剤の単独または２種以上の混合物を用いることができる。また、後述の有機溶剤と界面活性剤を併用することも出来る。
【００１８】
これらの界面活性剤の中でも特に、ポリグリセリン脂肪酸エステル類、ソルビタン脂肪酸エステル類、ショ糖脂肪酸エステル類等が好ましい。
本発明の洗浄ワイパー用組成液は、食品及び／又は食品添加物及び／又は口腔化粧品材料である、界面活性剤と、水を含有する組成液であり、人体に対する安全性が非常に高い。
【００１９】
次に、本発明の洗浄ワイパー用組成液の界面活性剤は、ＬＤ５０の値が３０１ｍｇ／ｋｇ以上の化合物であることが好ましい。
ＬＤ５０が３００ｍｇ／ｋｇ以下の化合物は劇物に相当し、人体に対して安全でないばかりか法的な様々な制限を受ける。本発明の洗浄ワイパー用組成液で用いる界面活性剤のＬＤ５０は、さらには２０００ｍｇ／ｋｇ以上であることが好ましい。
本発明の洗浄ワイパー用組成液に用いられる界面活性剤のＨＬＢの値は、９以上であることが、十分な洗浄性能が得られるため好ましい。界面活性剤のＨＬＶとは、界面活性剤分子の親水基と親油基のバランスから決められた値であり、数が大きいほど親水性の強いことを示すものである。界面活性剤のＨＬＢの値は、１２以上であることがさらに好ましい。
【００２０】
また、本発明の洗浄ワイパー用組成液で用いる界面活性剤の添加量は、０．００１〜２０質量％であることが好ましい。洗浄ワイパー用組成液の安全性と拭き残りが生じにくい点で、界面活性剤の添加量は２０質量％以下が好ましい。また、十分な洗浄性が得られ、帯電防止性、防曇性等の機能が被洗物に付与される点で、界面活性剤の添加量は、０．００１質量％以上が好ましい。界面活性剤の添加量は、０．００５〜１０質量％であることがより好ましく、０．０１〜５質量％であることがさらに好ましい。
【００２１】
次に、本発明の帯電防止ワイパー用組成液は、食品及び／又は食品添加物及び／又は口腔化粧品材料と水を含有する。
帯電防止ワイパー用組成液に用いられる食品及び／又は食品添加物及び／又は口腔化粧品材料の例としては、例えば、グリセリン脂肪酸エステル、親油型モノステアリン酸グリセリン等のグリセリン脂肪酸エステル類、モノオレイン酸ポリグリセリル、ペンタオレイン酸ポリグリセリル、デカオレイン酸ポリグリセリル等のポリグリセリン脂肪酸エステル類、モノステアリン酸ポリオキシエチレングリセリン等のポリオキシエチレングリセリン脂肪酸エステル類、モノラウリン酸ソルビタン、モノオレイン酸ソルビタン、トリオレイン酸ソルビタン等のソルビタン脂肪酸エステル類、モノステアリン酸ポリオキシエチレンソルビタン、トリオレイン酸ポリオキシエチレンソルビタン等のポリオキシエチレンソルビタン脂肪酸エステル類、モノラウリン酸ポリオキシエチレンソルビット、テトラオレイン酸ポリオキシエチレンソルビット等のポリオキシエチレンソルビット脂肪酸エステル類、ポリオキシエチレンラノリン、ポリオキシエチレンソルビットミツロウ等のポリオキシエチレンラノリン・ラノリンアルコール・ミツロウ誘導体、ポリオキシエチレンヒマシ油、ポリオキシエチレン硬化ヒマシ油等のポリオキシエチレンヒマシ油・硬化ヒマシ油類、ポリオキシエチレンコレスタノールエーテル等のポリオキシエチレンステロール・水素添加ステロール類、モノステアリン酸エチレングリコール、モノオレイン酸ポリエチレングリコール等のポリエチレングリコール脂肪酸エステル類、ポリオキシエチレンラウリルエーテル、ポリオキシエチレンセチルエーテル、ポリオキシエチレンベヘニルエーテル等のポリオキシエチレンアルキルエーテル類、ポリオキシエチレンポリオキシプロピレンセチルエーテル、ポリオキシエチレンポリオキシプロピレンデシルテトラデシルエーテル等のポリオキシエチレンポリオキシプロピレンアルキルエーテル類、ポリオキシエチレンノニルフェニルエーテル等のポリオキシエチレンアルキルフェニルエーテル類、ポリオキシエチレンステアリン酸アミド等のポリオキシエチレンアルキルアミン・脂肪酸アミド類、ポリオキシエチレンラウリルエーテルリン酸ナトリウム、ポリオキシエチレンセチルエーテルリン酸ナトリウム等のポリオキシエチレンアルキルエーテルリン酸・リン酸塩類、Ｎ−ラウロイル−Ｌ−グルタミン酸ナトリウム等のＮ−アシルアミノ塩酸類、ポリオキシエチレンラウリルエーテルリン酸等のポリオキシエチレンアルキルエーテルリン酸塩類、ラウロイルメチルタウリンナトリウム、ミリストイルメチルタウリンナトリウム等のＮ−アシルタウリン塩類、テトラデセンスルホン酸ナトリウム等のスルホン酸塩類、ラウリル硫酸ナトリウム等のアルキル硫酸塩類、ポリオキシエチレンラウリルエーテル硫酸ナトリウム等のポリオキシエチレンアルキルエーテル硫酸塩類、ラウリルジメチルアミノ酢酸ベタイン、ヤシ油脂肪酸アミドプロピルベタイン等の酢酸ベタイン型両性界面活性剤類、２−アルキル−Ｎ−カルボキシメチル−Ｎ−ヒドロキシエチルイミダゾリニウムベタイン等のイミダゾリン型両性界面活性剤類、モノミリスチン酸デカグリセリル、ショ糖脂肪酸エステル、ラウリルジアミノエチルグリシンナトリウム、塩酸アルキルジアミノエチルグリシン、塩化ベンザルコニウム、トリメチルグリシン、レシチン、ポリオキシエチレン脂肪酸エステル、ポリオキシエチレンアルキルフェノールエーテル、アルキルジメチルアミンオキシドなどのノニオン界面活性剤、例えば、アルキルベンゼンスルホン酸塩、脂肪酸塩などのアニオン界面活性剤、例えば、塩化長鎖アルキルトリメチルアンモニウムなどのカチオン界面活性剤、アルキルベタインなどの両性界面活性剤を挙げることができる。本発明では、これらの食品及び／又は食品添加物及び／又は口腔化粧品材料の単独または２種以上の混合物を用いることができる。また、後述の有機溶剤と食品及び／又は食品添加物及び／又は口腔化粧品材料を併用することも出来る。さらには、食品及び／又は食品添加物及び／又は口腔化粧品材料は水溶液としてまたは水でエマルジョン化して用いることができる。これらの食品及び／又は食品添加物及び／又は口腔化粧品材料の中でも特に、ソルビタン脂肪酸エステル類、ポリオキシエチレンソルビタン脂肪酸エステル類、ヤシ油脂肪酸アミドプロピルベタイン、酢酸ベタイン型両性界面活性剤類、ショ糖脂肪酸エステル、トリメチルグリシン、ラウリルジアミノエチルグリシンナトリウム及び塩酸アルキルジアミノエチルグリシン等が好ましい。
【００２２】
本発明の帯電防止ワイパー用組成液は、食品及び／又は食品添加物及び／又は口腔化粧品材料と水を含有する組成液であり、人体に対する安全性が非常に高い。
【００２３】
次に、本発明の帯電防止ワイパー用組成液は、組成液を含浸させた帯電防止ワイパーで拭いた後の被拭材の表面抵抗が、１×１０１４（Ω）以下であるものである。ここで、帯電防止ワイパーで拭いた後の被拭材表面の表面抵抗とは、ＡＳＴＭ　Ｄ２５７に準拠した測定方法で得られる被拭材表面の表面電気抵抗である。表面抵抗値が小さいほど帯電防止性能は優れているが、本発明では表面抵抗が、１×１０１４（Ω）以下であれば十分な帯電防止性能が得られる。本発明において、被拭材とは、樹脂、ゴム、ガラス、磁器、塗膜等の広義の電気絶縁体をいう。
被拭材の表面抵抗は、１×１０１３（Ω）以下であることがより好ましく、１×１０１２（Ω）以下であることがさらに好ましい。
【００２４】
さらに、本発明の帯電防止ワイパー用組成液の食品及び／又は食品添加物及び／又は口腔化粧品材料は、ＬＤ５０の値が３０１ｍｇ／ｋｇ以上の化合物であることが好ましい。
ＬＤ５０が３００ｍｇ／ｋｇ以下の化合物は劇物に相当し、人体に対して安全でないばかりか法的な様々な制限を受ける。本発明の帯電防止ワイパー用組成液で用いる食品及び／又は食品添加物及び／又は口腔化粧品材料のＬＤ５０は、さらには２０００ｍｇ／ｋｇ以上であることが好ましい。
【００２５】
次に、本発明の帯電防止ワイパー用組成液で用いる食品及び／又は食品添加物及び／又は口腔化粧品材料の添加量は、０．００１〜５質量％であることが好ましい。帯電防止ワイパー用組成液の安全性と帯電防止ワイパー用組成液を含浸させた帯電防止ワイパーの使用時の拭き残りの点で、食品及び／又は食品添加物及び／又は口腔化粧品材料の添加量は５質量％以下が好ましい。また、十分な帯電防止性、洗浄性、防曇性等の被洗物に付与される機能の点で、添加量は０．００１質量％以上が好ましい。食品及び／又は食品添加物及び／又は口腔化粧品材料の添加量は、より好ましくは０．００１〜３質量％、さらに好ましくは０．０１〜１質量％である。
さらには、食品及び／又は食品添加物及び／又は口腔化粧品材料は、導電性を付与する化合物であることがより好ましい。
【００２６】
本発明の組成液の電導率とは、組成液におけるイオンの電気の通りやすさを示す指標となるもので、本発明では組成液の温度が２０℃の条件における導電率を示す。組成液の電導率は１×１０−５Ｓｍ−１以上であることが好ましく、１×１０−４Ｓｍ−１以上であることがより好ましい。
【００２７】
また、本発明のワイパー用組成液、洗浄ワイパー用組成液、帯電防止ワイパー用組成液には殺菌剤を用いることができる。用いることのできる殺菌剤の例としては、例えば、フェニルフェノール、フェニルフェノールナトリウム、プロピオン酸、安息香酸、安息香酸ナトリウム、ソルビン酸、ソルビン酸カリウム、コハク酸、過酸化水素、亜塩素酸ナトリウム、サリチル酸、サリチル酸ナトリウム、デヒドロ酢酸、デヒドロ酢酸ナトリウム、グレープフルーツエキス、塩化ベンザルコニウム、グルコン酸クロルヘキシジン、トリクロロカルバニリド、塩化セチルピリジウム、感光素２０１号、イソプロピルメチルフェノール、トリクロサン、フェノキシエタノール、フェノール、レゾルシン、クロロブタノール、β−フェニルエチルアルコール、塩化ステアリルジメチルジベンジルアンモニウム、アルミニウム・クロルヒドロキシアラントネート、セチルトリメチルアンモニウムサッカリン、ラウリルジアミノエチルグリシンナトリウム、グリシン、アラニン、セリン、トリプトファン、スレオニン、フラボノイド、芳香族アルデヒド、クマリン、リゾチーム、オボトランスフェリン、キトサン、エピガロカテキン、エピガロカテキンガレート、ワサオール、茶エキス、リンゴエキス、ペクチン分解物、プロタミン、α−ポリリジン、ε−ポリリジン等の殺菌剤の中からＬＤ５０の値が３０１ｍｇ／ｋｇ以上であるものを挙げることができる。これらの殺菌剤の中でも特に、フェニルフェノール、フェニルフェノールナトリウム、プロピオン酸、ソルビン酸、コハク酸、過酸化水素、亜塩素酸ナトリウム、サリチル酸、デヒドロ酢酸、グレープフルーツエキス、塩化ベンザルコニウム、グルコン酸クロルヘキシジン、塩化セチルピリジウム、トリクロサン、クロロブタノール、塩化ステアリルジメチルジベンジルアンモニウム、ラウリルジアミノエチルグリシンナトリウム、ε−ポリリジン等が好ましく、さらには、フェニルフェノール、亜塩素酸ナトリウム、サリチル酸、グレープフルーツエキス、塩化ベンザルコニウム、グルコン酸クロルヘキシジン、塩化セチルピリジウム、トリクロサン、塩化ステアリルジメチルジベンジルアンモニウム、ラウリルジアミノエチルグリシンナトリウム、ε−ポリリジン等が特に好ましい。
これらの殺菌剤は、ウェットワイパーで拭く被洗物上の殺菌を行うものであるが、ウェットワイパー自体の抗カビ性を付与する目的で使用することも可能である。
【００２８】
次に、本発明の殺菌ワイパー用組成液は、食品及び／又は食品添加物及び／又は口腔化粧品材料である、殺菌剤と、水を含有する。
殺菌ワイパー用組成液に用いられる殺菌剤の例としては、例えば、フェニルフェノール、フェニルフェノールナトリウム、プロピオン酸、安息香酸、安息香酸ナトリウム、ソルビン酸、ソルビン酸カリウム、コハク酸、過酸化水素、亜塩素酸ナトリウム、サリチル酸、サリチル酸ナトリウム、デヒドロ酢酸、デヒドロ酢酸ナトリウム、グレープフルーツエキス、塩化ベンザルコニウム、グルコン酸クロルヘキシジン、トリクロロカルバニリド、塩化セチルピリジウム、感光素２０１号、イソプロピルメチルフェノール、トリクロサン、フェノキシエタノール、フェノール、レゾルシン、クロロブタノール、β−フェニルエチルアルコール、塩化ステアリルジメチルジベンジルアンモニウム、アルミニウム・クロルヒドロキシアラントネート、セチルトリメチルアンモニウムサッカリン、ラウリルジアミノエチルグリシンナトリウム、グリシン、アラニン、セリン、トリプトファン、スレオニン、フラボノイド、芳香族アルデヒド、クマリン、リゾチーム、オボトランスフェリン、キトサン、エピガロカテキン、エピガロカテキンガレート、ワサオール、茶エキス、リンゴエキス、ワサビ抽出液、ペクチン分解物、プロタミン、α−ポリリジン、ε−ポリリジン等の殺菌剤を挙げることができるが、これらに限定されるものではない。これらの殺菌剤の中でも特に、フェニルフェノール、フェニルフェノールナトリウム、プロピオン酸、ソルビン酸、コハク酸、過酸化水素、亜塩素酸ナトリウム、サリチル酸、デヒドロ酢酸、グレープフルーツエキス、塩化ベンザルコニウム、グルコン酸クロルヘキシジン、塩化セチルピリジウム、トリクロサン、クロロブタノール、塩化ステアリルジメチルジベンジルアンモニウム、ラウリルジアミノエチルグリシンナトリウム、ワサビ抽出液、ε−ポリリジン等が好ましく、さらには、フェニルフェノール、亜塩素酸ナトリウム、サリチル酸、グレープフルーツエキス、塩化ベンザルコニウム、グルコン酸クロルヘキシジン、塩化セチルピリジウム、トリクロサン、塩化ステアリルジメチルジベンジルアンモニウム、ラウリルジアミノエチルグリシンナトリウム、ワサビ抽出液、ε−ポリリジン等が特に好ましい。これらの殺菌剤は、殺菌ワイパーで拭く被拭材被洗物上の殺菌を行うものであるが、殺菌ワイパー自体の抗カビ性を付与する目的で使用することも可能である。
【００２９】
本発明の殺菌ワイパー用組成液では、これらの殺菌剤の単独又は２種以上の混合物が用いられる。これらの殺菌剤は、水溶液として又は水でエマルジョン化して用いることができる。また、エタノールのような有機溶剤を併用することもできる。
本発明の殺菌ワイパー用組成液は、食品及び／又は食品添加物及び／又は口腔化粧品材料である、殺菌剤と、水を含有する組成液であり、人体に対する安全性が非常に高い。
【００３０】
次に、本発明の殺菌ワイパー用組成液は、組成液の滅菌率が９９％以上となるものである。ここで、組成液の滅菌率とは、組成液に大腸菌懸濁液を添加し、６０秒後までに殺菌された大腸菌の割合である。滅菌率は、９９．９％以上であることが好ましく、さらには、９９．９９％以上であることが好ましい。
さらに、本発明の殺菌ワイパー用組成液の殺菌剤は、ＬＤ５０の値が３０１ｍｇ／ｋｇ以上の化合物であることが好ましい。本発明の殺菌ワイパー用組成液で用いる殺菌剤のＬＤ５０は、さらには２０００ｍｇ／ｋｇ以上であることが好ましい。
【００３１】
次に、本発明の殺菌ワイパー用組成液で用いる殺菌剤の添加量は、０．００１〜３０質量％であることが好ましい。殺菌ワイパー用組成液の安全性の点で、殺菌剤の添加量は３０質量％以下が好ましい。また、十分な殺菌性、抗菌性等が被洗物に付与される点で、殺菌剤の添加量は、０．００１質量％以上が好ましい。殺菌剤の添加量は、０．００１〜１０質量％であることがより好ましく、０．０１〜５質量％であることがさらに好ましい。
【００３２】
次に、本発明のワイパー用組成液、洗浄ワイパー用組成液、帯電防止ワイパー用組成液あるいは殺菌ワイパー用組成液に用いられる防カビ剤の例としては、ブチルパラベン、イソブチルパラベン、プロピルパラベン、イソプロピルパラベン、エチルパラベン、クエン酸、クエン酸ナトリウム、プロピオン酸ナトリウム、ヒノキチオール、酢酸、コハク酸、乳酸、リンゴ酸、酒石酸、ホウ酸、塩酸アルキルジアミノエチルグリシン、フェノキシエタノール、エタノール、トリブロムサラン等の中からＬＤ５０の値が３０１ｍｇ／ｋｇ以上であるものを挙げることができるが、これらの中でも特に、ブチルパラベン、イソブチルパラベン、プロピルパラベン、イソプロピルパラベン、エチルパラベン、ヒノキチオール、塩酸アルキルジアミノエチルグリシンの防カビ剤が好ましい。
これらの防カビ剤は、ウェットワイパーに防カビ性を付与する目的で使用されるが、ウェットワイパーで拭く被洗物上の殺菌を行う目的で配合することも可能である。
【００３３】
その他、ワイパー用組成液、洗浄ワイパー用組成液、帯電防止ワイパー用組成液あるいは殺菌ワイパー用組成液に用いられる化合物の例としては、キサンタンガム、ゼラチン等の天然高分子、メチルセルロース、可溶性デンプン等の半合成高分子、カルボキシビニルポリマー等の合成高分子増粘剤、グリセリン、プロピレングリコール等のポリオール類、ソルビトール等の湿潤剤の他、ジステアリン酸エチレングリコール、トコフェノール類等の中からＬＤ５０の値が３０１ｍｇ／ｋｇ以上であるものを挙げることができる。
本発明のワイパー用組成液、洗浄ワイパー用組成液、帯電防止ワイパー用組成液あるいは殺菌ワイパー用組成液では、これらの化合物の単独又は２種以上の混合物が用いられる。これらの化合物は、水溶液として又は水でエマルジョン化して用いることができる。また、エタノールのような有機溶剤を併用することもできる。　本発明のワイパー用組成液、洗浄ワイパー用組成液、帯電防止ワイパー用組成液あるいは殺菌ワイパー用組成液は、ＬＤ５０の値が３０１ｍｇ／ｋｇ以上の化合物と水を含有する組成液であり、人体に対する安全性が非常に高い。
【００３４】
また、本発明におけるワイパー用組成液、洗浄ワイパー用組成液、帯電防止ワイパー用組成液あるいは殺菌ワイパー用組成液とは、繊維シート等による汚れの拭き取り効果を高めるために用いられるものであるが、その他にも薬剤を添加することで除菌効果、防曇効果、防汚効果等の機能を付与することも可能である。
さらに、本発明のワイパー用組成液、洗浄ワイパー用組成液、帯電防止ワイパー用組成液あるいは殺菌ワイパー用組成液は引火点が４０℃以上の液体であることが好ましい。ワイパー用組成液の引火点が４０℃以上の液体では、それを含浸させたウェットワイパーの引火点も４０℃以上となり、引火性固体として法的な制約を受けないばかりか、実際に引火性が低いため安全である。また、必然的に水が主体のワイパー用組成液となるため、溶剤臭が少なく、手肌に優しいウェットワイパーが得られる。ワイパー用組成液、洗浄ワイパー用組成液、帯電防止ワイパー用組成液あるいは殺菌ワイパー用組成液の引火点は６０℃以上であることがより好ましく、さらには引火点がないことが好ましい。
【００３５】
また、本発明のワイパー用組成液、洗浄ワイパー用組成液、帯電防止ワイパー用組成液あるいは殺菌ワイパー用組成液のｐＨは４〜１０であることが好ましい。ワイパー用組成液のｐＨが４未満または１０より大きい場合には、手肌が荒れやすい。ワイパー用組成液のｐＨは、さらには５〜９であることが好ましい。
【００３６】
また、本発明のワイパー用組成液又は洗浄ワイパー用組成液又は帯電防止ワイパー用組成液又は殺菌ワイパー用組成液に用いられる水は、河川水、湖沼水、雨水、海水、海洋深層水、井戸水、水道水、イオン交換水、蒸留水、超純水など何れでもよいが、好ましくは殺菌又は除菌された水であり、殺菌又は除菌された水は、通常殺菌又は除菌された水を製造するのに用いられる方法によって製造することができ、このうち、殺菌については、例えば、液化塩素、塩素ガス、サラシ粉、二酸化塩素、クロラミン、次亜塩素酸塩などの塩素含有薬剤やオゾンなどの殺菌剤を用いる方法、紫外線や放射線などの電磁波や粒子線の照射エネルギーによる方法、煮沸などの加熱による方法があり、除菌については、例えば、天然及び／又は合成樹脂のフィルターによる方法、イオン交換樹脂などの荷電を有する吸着剤や多孔質吸着剤などの吸着剤を用いる方法、蒸留による方法などがある。
【００３７】
中でも、効果の高さと持続性の観点から殺菌剤を用いる方法、フィルターによって除菌する方法、蒸留によって除菌する方法が好ましく、殺菌剤を用いる場合には、次亜塩素酸塩及び／又はその塩などの塩素系殺菌剤を用いることがさらに好ましい。
また、本発明においては、これらの殺菌及び除菌方法を必要に応じ適宜組合せて用いてもよい。
本発明の組成液に用いられる水の使用量は、組成液全体に対して６６質量％以上であることが好ましい。水の使用量が６６質量％以上であれば、ベタツキ感が少なく、手肌にも優しいウェットワイパーが得られる。水の使用量はさらには８０質量％以上であることが好ましく、９０質量％以上であることがより好ましい。
【００３８】
次に、本発明のワイパー用組成液又は洗浄ワイパー用組成液又は帯電防止ワイパー用組成液又は殺菌ワイパー用組成液には、本発明の奏する効果が損なわれない範囲で、必要に応じてさらに、有機溶剤や界面活性剤といった清浄剤、あるいはワックスやシリコーンといった艶出し剤、及び殺菌剤、防カビ剤、酸化防止剤、防錆剤、ｐＨ調整剤、香料等の添加剤を配合してもよい。この場合の添加剤もＬＤ５０の値が３０１ｍｇ／ｋｇ以上である化合物から可能な限り選択されることが望ましい。また、さらには食品及び／又は食品添加物及び／又は口腔化粧品材料から選択されることが望ましい。
【００３９】
このような添加剤として、清浄剤としては、例えば、エチレングリコールモノプロピルエーテル、エチレングリコールモノブチルエーテル、エチレングリコールモノベンジルエーテル、プロピレングリコールモノブチルエーテル、ジエチレングリコールモノブチルエーテル、プロピレングリコールモノブチルエーテル、ジプロピレングリコールモノメチルエーテル、ジエチレングリコールジブチルエーテル、ジプロピレングリコールジメチルエーテル等のグリコールエーテル類、モノエタノールアミン、ジエタノールアミン、トリエタノールアミン等のアルカノールアミン類、イミダゾール、ピリジン誘導体、更にはパラフィン系炭化水素、ナフテン系炭化水素、オレフィン系炭化水素、芳香族炭化水素等の石油系有機溶剤類、大豆油などの脂肪酸トリグリセリド類等の有機溶剤の単独または２種類以上の混合物が用いられ、また、例えば、ポリオキシエチレン脂肪酸エステル、ポリオキシエチレンアルキルフェノールエーテル、アルキルジメチルアミンオキシドなどのノニオン界面活性剤、例えば、アルキルベンゼンスルホン酸塩、脂肪酸塩などのアニオン界面活性剤、例えば、塩化長鎖アルキルトリメチルアンモニウムなどのカチオン界面活性剤、アルキルベタインなどの両性界面活性剤といった界面活性剤の単独または２種以上の混合物を用いることができる。また、有機溶剤と界面活性剤を併用することも出来る。これら清浄剤は水溶液としてまたは水でエマルジョン化して用いることができる。
【００４０】
また、艶出し剤としては、シリコーンオイル、フッ化変性シリコーンオイル、アミノ変性シリコーンオイル、エポキシ変性シリコーンオイル、アルコール変性シリコーンオイル等のポリオルガノシロキサン、溶剤可溶性シリコーン樹脂のようなシリコーン系艶出し剤、カルナバワックス、キャンデリラワックス、モンタンワックス、パラフィンワックス等のワックス系艶出し剤が挙げられる。これら艶出し剤は単独または２種以上の混合物としてエマルジョン化して用いることができる。
【００４１】
殺菌剤、防カビ剤の種類は、ウェットワイパーの使用目的、ウェットワイパーの基布や薬剤といった構成条件にもよるが、一般的には、少量の添加量でも大きな殺菌効果や防カビ効果の得られる殺菌剤、防カビ剤を単独または２種以上併用して用いることができる。
これら殺菌剤の具体例としては、例えば、メチルイソチアゾリノン、クロロメチルイソチアゾリノン、ベンズイソチアゾリノン等のイソチアゾリノン系、ブロムニトロプロパンジオール、ｏ−フェニルフェノール、ｐ−クロロメタクレゾール、あるいはイソプロピルメチルフェノール等のフェノール系、臭化アルキルイソキノリニウム等の臭化４級アンモニウム塩系、感光素１０１号等の感光素系等、その他銀イオンを無機物に担持させた銀イオン・無機質系などを挙げることができるが、これらに限定されるものではない。
【００４２】
また、防カビ剤の具体例としては、イソプロパノール、１，２−ベンズイソチアゾリン−３−オン、５−クロロ−２−メチル−４−イソチアゾリン−３−オン、２−メチル−４−イソチアゾリン−３−オン、硝酸マグネシウム、塩化マグネシウム等を挙げることができるが、これらに限定されるものではない。
単独の殺菌剤や防カビ剤の少量添加において充分な殺菌効果や防カビ効果の得られない場合は、充分な効果が得られるよう、複数の殺菌剤や防カビ剤を組み合わせて用いることもできる。
【００４３】
本発明は、以上述べたようなワイパー用組成液又は洗浄ワイパー用組成液又は帯電防止ワイパー用組成液又は殺菌ワイパー用組成液を繊維シートに含浸させて使用しても良い。また、拭き取りを行なう場所にこれらのワイパー用組成液をスプレーなどを用いて添加し、繊維シートで拭き取っても良い。しかし、繊維シートに含浸させるこれらのワイパー用組成液の含浸量には、洗浄性や拭き残りの点から適正値があり、この適性値にこれらのワイパー用組成液が予め含浸されたウェットワイパーが好ましい。
【００４４】
次に、本発明のウェットワイパー又は洗浄ワイパー又は帯電防止ワイパー又は殺菌ワイパーは、例えば、これらのワイパー用組成液を湿潤液として繊維シートに含浸させることにより製造することができる。ウェットワイパー又は洗浄ワイパー又は帯電防止ワイパー又は殺菌ワイパーで使用される繊維シートは、特に限定されるものではないが、例えば、コットン、麻、パルプ、絹、リネン等の天然繊維、コットンリンター、ビスコースレーヨン、銅アンモニアレーヨン、溶剤紡糸レーヨン等の再生繊維、ナイロン（ポリアミド系繊維）、ポリエステル（ポリエステル系繊維）、アクリル（ポリアクリロニトリル系繊維）、ビニロン（ポリビニルアルコール系繊維）、ポリプロピレン（ポリプロピレン系繊維）、ビニリデン（ポリ塩化ビニリデン系繊維）、ポリウレタン（ポリウレタン系繊維）、ポリエチレン等の合成繊維を単独または混合物として使用できる。これらの繊維を用いた繊維シートの形態は、紙、不織布、布などとすることができ、またその製造方法としては、公知の紙、不織布、布帛の製造方法であれば特に限定されないが、コストや製造効率を考慮すれば、ウェブ形成を乾式で行った不織布や機械的絡合によって接着を行なった不織布が好ましい。
【００４５】
繊維シートの目付量は薄すぎても厚すぎても使用しにくいため１０〜１２０ｇ／ｍ２　で使用することが好ましく、更には１５〜８０ｇ／ｍ２で使用することが好ましい。
本発明のウェットワイパーはワイパー用組成液又は洗浄ワイパー用組成液又は帯電防止ワイパー用組成液又は殺菌ワイパー用組成液を上記繊維シートに含浸したものであるが、ウェットワイパー中のこれらのワイパー用組成液の量が繊維シート質量に対して少なすぎると清浄効果を発揮しにくく、またこれらのワイパー用組成液の量が多すぎると拭き残りの原因となりやすいので、これらのワイパー用組成液の総量が繊維シート質量１００質量部に対して５０〜４００質量部含浸させることが好ましく、８０〜３００質量部含浸させることが特に好ましい。
【００４６】
次に、本発明のウェットワイパー又は洗浄ワイパー又は帯電防止ワイパー又は殺菌ワイパーは、ワイパーで拭いた後の被拭材の除菌率が９９．９％以上となることが好ましい。ここで、被拭材の除菌率とは、ワイパーで拭く前の被拭材上の菌数に対して、ワイパーで拭くことによって除去あるいは殺菌された被拭材上の菌数の割合である。被拭材の除菌率は、９９．９９％以上であることがより好ましく、９９．９９９％以上であることがさらに好ましい。
【００４７】
本発明のウェットワイパー又は洗浄ワイパー又は帯電防止ワイパー又は殺菌ワイパーは各種表面の清浄、殺菌、抗菌、帯電防止、防汚等、例えば家具や建物の窓ガラス、車両の窓ガラス、テレビやパソコンの画面、化粧鏡あるいは眼鏡レンズ等のような透明なガラスやプラスチックス表面等の清浄、殺菌、帯電防止等に、また、冷蔵庫、塗装家具、自動車ボディーのような光沢表面の清浄、殺菌、抗菌、帯電防止、防汚等に、また、人体の清浄、殺菌等に好適に用いられる。
【００４８】
以下に、本発明の実施例を詳細に説明する。
実施例、比較例中で行う性能評価試験方法は以下の通りである。
＜汚れ落ち評価方法＞
メガネ汚れを想定し、以下の操作にて評価試験を行った。
ＯＡフィルターアイセフティ　ＥＶＦ−Ｃ１（コクヨ（株）社製）に人工汚垢を薄く一面に広げる。表面を乾燥させた後、表面の浮いている汚れを乾いた布で拭き取り、ＯＡフィルターに汚れを定着させたものを被洗物とする。ウェットワイパーで汚れを拭き取り、汚れ落ちの程度を目視にて判定する。
評価基準は以下のとおりである。
◎　被洗物上に人工汚垢が全く残らない。
〇　被洗物上に人工汚垢がほとんど残らない。
△　被洗物上に支障ない程度であるが、人工汚垢が僅かに残る。
×　被洗物上に人工汚垢が残る。
【００４９】
＜拭き残り評価方法＞
汚れ落ち評価で用いた被洗物を、ウェットワイパーで拭いたあと、目視にて拭き残りを評価する。
評価基準は以下の通りである。
◎　拭き残りが全く観察されない
○　拭き残りがほとんど観察されない
△　支障がない程度であるが、拭き残り僅かに観察される
×　拭き残りが観察される。
【００５０】
＜使用感評価方法＞
汚れ落ち評価を行なった時の使用感を評価した。評価基準は以下の通りである。
〇　手に刺激がほとんど無い
△　手に若干刺激がある。
×　手にヒリヒリする刺激がある。
＜引火点測定法＞
ＪＩＳ　Ｋ　２２６５に従い、クリーブランド開放式で引火点の測定を行う。
【００５１】
【実施例１】
ソルビタンラウレート（商品名：エマゾールスーパー　Ｌ−１０（Ｆ）、食品添加物、ＬＤ５０（ラット）：３３６００ｍｇ／ｋｇ、花王（株）社製）０．５質量％、塩化ベンザルコニウム（商品名：ＮＩＫＫＯＬ　ＣＡ−１０１、口腔化粧品材料、ＬＤ５０（マウス）：３５０ｍｇ／ｋｇ、日光ケミカル（株）社製）０．６質量％を殺菌及び除菌操作をしていない井戸水９８、９質量％に混合溶解し、ワイパー用組成液（湿潤液）を作成した。ワイパー用組成液の引火点はなく、ｐＨは７であった。次にアクリル極細繊維不織布（商品名：シャレリアＣ１０３０、目付３０ｇ／ｍ２　旭化成（株）社製）の１００質量部当たり湿潤液が１６０質量部になるように含浸して本発明のウェットワイパーを得た。得られたウェットワイパーを用いて、上記の方法に従い、汚れ落ち、拭き残り、使用感を評価した。評価結果を表１に示す。
【００５２】
【実施例２〜３】
実施例１で用いたソルビタンラウレートの代わりにポリオキシエチレンヤシ油脂肪酸ソルビタン（商品名：レオドール　ＴＷ−Ｌ１２０、口腔化粧品材料、ＬＤ５０（ラット）：４０３００ｍｇ／ｋｇ、花王（株）社製）（実施例２）、モノミリスチン酸デカグリセリル（商品名：ＮＩＫＫＯＬ　Ｄｅｃａｇｌｙｎ　１−Ｍ、食品添加物、ＬＤ５０（ラット）：２９０００ｍｇ／ｋｇ以上、日本アミノサーファクタント工業（株）社製）（実施例３）を用いた以外は実施例１と同様にしてウェットワイパーを得た。得られたウェットワイパーを用いて、上記の方法に従い、汚れ落ち、拭き残り、使用感を評価した。評価結果を表１に示す。
【００５３】
【実施例４〜８】
実施例１で用いた塩化ベンザルコニウム０．６質量％の代わりにパラオキシ安息香酸ブチル（商品名：メッキンス、食品添加物、ＬＤ５０（マウス）：５０００ｍｇ／ｋｇ以上、上野製薬（株）社製）０．０２重量％（実施例４）、５−クロロ−２−メチル−４−イソチアゾリン−３−オン他混合物（商品名：ＢＳ−２００Ａ、ＬＤ５０（マウス）：４００ｍｇ／ｋｇ以上、ケイ・アイ化成（株）社製）０．１重量％（実施例５）、安息香酸エステル他混合物（商品名：ネオメッキンス、食品添加物、ＬＤ５０（マウス）：２５００ｍｇ／ｋｇ以上、上野製薬（株）社製）１．０重量％（実施例６）、デヒドロ酢酸ナトリウム（商品名：デヒドロ酢酸ナトリウム「ウエノ」、食品添加物、ＬＤ５０（マウス）：１０５０ｍｇ／ｋｇ、上野製薬（株）社製）１．０重量％（実施例７）、フェノキシエタノール（商品名：、口腔化粧品材料、ＬＤ５０（ラット）：１０００ｍｇ／ｋｇ、（株）社製）１．０重量％（実施例８）を用い、水の含量を調整した以外は実施例１と同様にしてウェットワイパーを得た。得られたウェットワイパーを用いて、上記の方法に従い、汚れ落ち、拭き残り、使用感を評価した。評価結果を表１に示す。
【００５４】
【実施例９】
ヤシ油脂肪酸アミドプロピルジメチルアミノ酢酸ベタイン溶液（商品名：ＭＩＲＡＴＡＩＮＥ　ＢＥＴ　Ｃ−３０、口腔化粧品材料、日光ケミカル（株）社製、３０％水溶液）０．０２質量％、ラウリルジアミノエチルグリシンナトリウム（商品名：ニッサンアノンＬＧ−Ｒ、口腔化粧品材料、日本油脂（株）社製、３０％水溶液）０．０３質量％、５−クロロ−２−メチル−４−イソチアゾリン−３−オン他混合物（商品名：ケーソンＣＧ、ＬＤ５０（ラット）：３３５０ｍｇ／ｋｇ以上、ローム　アンド　ハース（株）社製）０．４重量％、クエン酸１水和物０．００３％を殺菌及び除菌操作をしていない井戸水９９、５５質量％に混合溶解し、ワイパー用組成液（湿潤液）を作成した。ワイパー用組成液の引火点はなく、ｐＨは７．５であった。次にウッドパルプ／ポリエステル不織布（商品名：ソンタラＫ８６７、目付７８ｇ／ｍ２　デュポン（株）社製）の１００質量部当たり湿潤液が１６０質量部になるように含浸して本発明のウェットワイパーを得た。得られたウェットワイパーを用いて、上記の方法に従い、汚れ落ち、拭き残り、使用感を評価した。評価結果を表１に示す。
【００５５】
【実施例１０】
実施例９の殺菌及び除菌操作をしていない井戸水９９．５５質量％の代わりに、エタノール５質量％と殺菌及び除菌操作をしていない井戸水９４．５５質量％を用いた以外は、実施例９と同様にしてワイパー用組成液を得た。ワイパー用組成液の引火点は６２℃であった。次にウッドパルプ／ポリエステル不織布の１００質量部当たり湿潤液が１６０質量部になるように含浸して本発明のウェットワイパーを得た。得られたウェットワイパーを用いて、上記の方法に従い、汚れ落ち、拭き残り、使用感を評価した。評価結果を表１に示す。
【００５６】
【実施例１１〜１３】
実施例９で用いたパラオキシ安息香酸アルキル混合物水系エマルジョンを用いず、殺菌及び除菌操作をしていない井戸水の代わりに次亜塩素酸ナトリウム殺菌された水道水（実施例１１）、濾過除菌された河川水（実施例１２）、蒸留された海水（実施例１３）を用いて全体を１００質量％とした以外は実施例９と同様にして組成液（湿潤液）を作成した。それ以外は実施例９と同様にしてウェットワイパーを得て性能評価試験を行なった。ウェットワイパーの評価結果を表１に示す。
【００５７】
【比較例１】
実施例１で用いたワイパー用組成液の代わりに殺菌及び除菌操作をしていない井戸水を用いた以外は実施例１と同様にしてウェットワイパーを得た。得られたウェットワイパーを用いて、上記の方法に従い、性能評価試験を行なった。ウェットワイパーの評価結果を表１に示す。
【００５８】
【比較例２】
実施例１で用いたワイパー用組成液の代わりに変性アルコール（商品名：ソルミックスＡ−７、成分：エタノール／メタノール／ノルマルプロピルアルコール＝８５．５％／４．９％／９．６％、日本化成品（株）社製）７０質量％と殺菌及び除菌操作をしていない井戸水３０質量％を用いた以外は、実施例１と同様にしてウェットワイパーを得て性能評価試験を行なった。ウェットワイパーの評価結果を表１に示す。
【００５９】
【表１】
2004051954.tif 000002
【００６０】
洗浄ワイパーの評価
＜汚れ落ち評価方法＞
キッチン汚れを想定して、以下の操作にて評価試験を行った。
ガラスに油性のモデル汚れを付け、均一に延ばし、加熱処理（１２０℃で１時間）後室温に放置したものを被清浄物とする。ウェットワイパーで汚れを拭き取り、汚れ落ちの程度を目視にて判定する。
評価基準は以下のとおりである。
◎　被洗浄材上に人工汚垢が全く残らない。
〇　被洗浄材上に人工汚垢がほとんど残らない。
△　被洗浄材上に支障ない程度であるが、人工汚垢が僅かに残る。
×　被洗浄材上に人工汚垢が残る。
【００６１】
＜拭き残り評価方法＞
汚れ落ち評価で用いた被洗浄材を、洗浄ワイパーで拭いたあと、目視にて拭き残りを評価する。
評価基準は以下の通りである。
◎　拭き残りが全く観察されない
○　拭き残りがほとんど観察されない
△　支障がない程度であるが、拭き残り僅かに観察される
×　拭き残りが観察される。
【００６２】
＜使用感評価方法＞
汚れ落ち評価を行なった時の使用感を評価した。評価基準は以下の通りである。
〇　手に刺激がほとんど無い
△　手に若干刺激がある。
×　手にヒリヒリする刺激がある。
【００６３】
【実施例１４】
ショ糖ラウリン酸エステル（商品名：コスメライクＬ−１６０、食品添加物、ＬＤ５０（ラット）：３０００ｍｇ／ｋｇ、ＨＬＢ：約１６、第一工業製薬（株）社製）１質量％、パラオキシ安息香酸アルキル混合物水系エマルジョン（商品名：ネオメッキンス、食品添加物、ＬＤ５０（マウス）：２５００ｍｇ／ｋｇ、上野製薬（株）社製）２質量％を殺菌及び除菌操作をしていない井戸水９７質量％に混合溶解し、組成液（湿潤液）を作成した。この組成液のｐＨは７．１で、引火点は出現しなかった。次にアクリル極細繊維湿式スパンレース不織布（商品名：シャレリアＣ１０３０、繊維比率：アクリル／ポリエステル＝９０％／１０％、目付３０ｇ／ｍ２　旭化成（株）社製）の１００質量部当たり湿潤液が２００質量部になるように含浸して本発明の洗浄ワイパーを得た。得られた洗浄ワイパーを用いて、上記の方法に従い、汚れ落ち、拭き残り、使用感の評価を行なった。評価結果を表２に示す。
【００６４】
【実施例１５〜２０】
実施例１４で用いたショ糖ラウリン酸エステル１質量％の代わりに、モノラウリン酸デカグリセリル（商品名：デカグリン１−Ｌ、食品添加物、ＨＬＢ：１５．５、日光ケミカルズ（株）社製）（実施例１５）、モノオレイン酸デカグリセリル（商品名：デカグリン１−Ｏ、食品添加物、ＨＬＢ：１２、日光ケミカルズ（株）社製）（実施例１６）、カプリン酸ソルビタン（商品名：ソルゲン１００、食品添加物、ＨＬＢ：１０．６、第一工業製薬（株）社製）（実施例１７）、ソルビタンモノステアレート（商品名：エマゾールスーパーＬ−１０（Ｆ）、食品添加物、ＬＤ５０（ラット）：３３６００ｍｇ／ｋｇ、ＨＬＢ：８．６、花王（株）社製）（実施例１８）、ショ糖ステアリン酸エステル（商品名：コスメライクＳ−１６０、食品添加物、ＨＬＢ：約１５、第一工業製薬（株）社製）（実施例１９）、ラウリルジアミノエチルグリシンナトリウム（商品名：ニッサンアノンＬＧ−Ｒ、口腔化粧品材料、日本油脂（株）社製）（実施例２０）を用いた以外は、全て、実施例１４と同様にして洗浄ワイパーを得た。得られた洗浄ワイパーを用いて、上記の方法に従い、汚れ落ち、拭き残り、使用感を評価した。評価結果を表２に示す。
【００６５】
【実施例２１】
ショ糖ラウリン酸エステル５質量％、パラオキシ安息香酸アルキル混合物水系エマルジョン２質量％、メチルポリシロキサン乳化物（商品名：ＫＭ−７２Ｆ、食品添加物、信越シリコン（株）社製）０．０４質量％を殺菌及び除菌操作をしていない井戸水９２．９６質量％に混合溶解し、組成液（湿潤液）を作成した。この組成液のｐＨは７．２で、引火点は出現しなかった。それ以外は実施例１４と同様にして洗浄ワイパーを得て性能評価試験を行なった。洗浄ワイパーの評価結果を表２に示す。
【００６６】
【実施例２２】
ショ糖ラウリン酸エステル１．５質量％、デヒドロ酢酸ナトリウム（商品名：デヒドロ酢酸ナトリウム「ウエノ」、食品添加物、ＬＤ５０（マウス）：１０５０ｍｇ／ｋｇ、上野製薬（株）社製）１．０質量％、メチルポリシロキサン乳化物（商品名：ＫＭ−７２Ｆ、食品添加物、信越シリコン（株）社製）０．０４質量％を蒸留された河川水９７．４６質量％に混合溶解し、組成液（湿潤液）を作成した。それ以外は実施例１４と同様にして洗浄ワイパーを得て性能評価試験を行なった。洗浄ワイパーの評価結果を表２に示す。
【００６７】
【実施例２３〜２５】
実施例２１で用いたパラオキシ安息香酸アルキル混合物水系エマルジョンを用いず、殺菌及び除菌操作をしていない井戸水の代わりに次亜塩素酸ナトリウム殺菌された水道水（実施例２３）、濾過除菌された河川水（実施例２４）、蒸留された海水（実施例２５）を用いて全体を１００質量％とした以外は実施例２１と同様にして組成液（湿潤液）を作成した。
それ以外は実施例２１と同様にして洗浄ワイパーを得て性能評価試験を行なった。洗浄ワイパーの評価結果を表２に示す。
【００６８】
【比較例３〜４】
実施例１４で用いた洗浄ワイパー用組成液の代わりに殺菌及び除菌操作をしていない井戸水（比較例３）、変性アルコール（商品名：ソルミックスＡ−７、成分：エタノール／メタノール／ノルマルプロピルアルコール＝８５．５％／４．９％／９．６％、日本化成品（株）社製）４０質量％と殺菌及び除菌操作をしていない井戸水６０質量％の混合液（比較例４）を用いた以外は実施例１４と同様にして洗浄ワイパーを得た。得られた洗浄ワイパーを用いて、上記の方法に従い、汚れ落ち、拭き残り、使用感を評価した。評価結果を表２に示す。
【００６９】
【表２】
2004051954.tif 000003
【００７０】
帯電防止ワイパーの評価
＜汚れ落ち評価方法＞
メガネ汚れを想定し、以下の操作にて評価試験を行った。
ＯＡフィルターアイセフティ　ＥＶＦ−Ｃ１（コクヨ（株）社製）に人工汚垢を薄く一面に広げる。表面を乾燥させた後、表面の浮いている汚れを乾いた布で拭き取り、ＯＡフィルターに汚れを定着させたものを被拭材とする。帯電防止ワイパーで汚れを拭き取り、汚れ落ちの程度を目視にて判定する。
評価基準は以下のとおりである。
◎　被拭材上に人工汚垢が全く残らない。
〇　被拭材上に人工汚垢がほとんど残らない。
△　被拭材上に支障ない程度であるが、人工汚垢が僅かに残る。
×　被拭材上に人工汚垢が残る。
【００７１】
＜拭き残り評価方法＞
汚れ落ち評価で用いた被洗物を、帯電防止ワイパーで拭いたあと、目視にて拭き残りを評価する。
評価基準は以下の通りである。
◎　拭き残りが全く観察されない
○　拭き残りがほとんど観察されない
△　支障がない程度であるが、拭き残り僅かに観察される
×　拭き残りが観察される。
【００７２】
＜被拭材表面抵抗の測定方法＞
ポリメタクリル酸エステル製の試験片を帯電防止ワイパーで全面を軽く拭き、２３℃、５０％ＲＨの恒温室にて２４時間保管する。続いて、東亜エレクトロニクス（株）社製、ＴＯＡ　ＵＬＴＲＡ　ＭＥＧＯＨＭＭＥＴＥＲ　ＳＭ−８３１０にて表面抵抗を測定した。（印加電圧：５００Ｖ、印加時間：４５秒）
＜組成液の電導率測定＞
あらかじめ電導度既知の溶液（塩化カリウム溶液）について抵抗測定を行い、槽定数の明らかな電導度測定槽に、２０℃の組成液を入れ、その抵抗値を測定し、その結果より電導率を算出した。
【００７３】
【実施例２６】
ヤシ油脂肪酸アミドプロピルジメチルアミノ酢酸ベタイン溶液（商品名：ＭＩＲＡＴＡＩＮＥ　ＢＥＴ　Ｃ−３０、口腔化粧品材料、日光ケミカル（株）社製、３０％水溶液）０．０２質量％、ラウリルジアミノエチルグリシンナトリウム（商品名：ニッサンアノンＬＧ−Ｒ、口腔化粧品材料、日本油脂（株）社製、３０％水溶液）０．０３質量％、５−クロロ−２−メチル−４−イソチアゾリン−３−オン他混合物（商品名：ケーソンＣＧ、ＬＤ５０（ラット）：３３５０ｍｇ／ｋｇ以上、ローム　アンド　ハース（株）社製）０．４質量％、クエン酸１水和物０．００３％を殺菌及び除菌操作をしていない井戸水９９、５５質量％に混合溶解し、帯電防止ワイパー用組成液（湿潤液）を作成した。ワイパー用組成物の引火点はなく、ｐＨは７．５であった。次にウッドパルプ／ポリエステル不織布（商品名：ソンタラＫ８６７、目付７８ｇ／ｍ２　デュポン（株）社製）の１００質量部当たり湿潤液が１６０質量部になるように含浸して本発明の帯電防止ワイパーを得た。得られた帯電防止ワイパーを用いて、上記の方法に従い、汚れ落ち、拭き残り、帯電防止性能を評価した。評価結果を表３に示す。
【００７４】
【実施例２７〜３０】
実施例２６で用いたヤシ油脂肪酸アミドプロピルジメチルアミノ酢酸ベタイン溶液０．０２質量％とラウリルジアミノエチルグリシンナトリウム０．０３質量％、の代わりに、ソルビタンラウレート（商品名：エマゾールスーパー　Ｌ−１０（Ｆ）、食品添加物、ＬＤ５０（ラット）：３３６００ｍｇ／ｋｇ、花王（株）社製）０．５質量％（実施例２７）、ポリオキシエチレンヤシ油脂肪酸ソルビタン（商品名：レオドール　ＴＷ−Ｌ１２０、口腔化粧品材料、ＬＤ５０（ラット）：４０３００ｍｇ／ｋｇ、花王（株）社製）０．５質量％（実施例２８）、モノミリスチン酸デカグリセリル（商品名：ＮＩＫＫＯＬ　Ｄｅｃａｇｌｙｎ　１−Ｍ、食品添加物、ＬＤ５０（ラット）：２９０００ｍｇ／ｋｇ以上、日本アミノサーファクタント工業（株）社製）０．５質量％（実施例２９）、塩酸アルキルジアミノエチルグリシン水溶液（商品名：レボンＬＡＧ−４０、口腔化粧品材料、ＬＤ５０（ラット）：２９３０ｍｇ／ｋｇ、三洋化成工業（株）社製）０．２質量％（実施例３０）を用い、水の含量を調整した以外は実施例２６と同様にして帯電防止ワイパーを得た。得られた帯電防止ワイパーを用いて、上記の方法に従い、汚れ落ち、拭き残り、帯電防止性能を評価した。評価結果を表３に示す。
【００７５】
【実施例３１〜３２】
実施例２６で用いた５−クロロ−２−メチル−４−イソチアゾリン−３−オン他混合物０．４質量％とクエン酸１水和物０．００３％の代わりにパラオキシ安息香酸ブチル（商品名：メッキンス、食品添加物、ＬＤ５０（マウス）：５０００ｍｇ／ｋｇ以上、上野製薬（株）社製）１．０質量％（実施例３１）、デヒドロ酢酸ナトリウム（商品名：デヒドロ酢酸ナトリウム「ウエノ」、食品添加物、ＬＤ５０（マウス）：１０５０ｍｇ／ｋｇ、上野製薬（株）社製）１．０質量％（実施例３２）を用い、水の含量を調整した以外は実施例２６と同様にして帯電防止ワイパーを得た。得られた帯電防止ワイパーを用いて、上記の方法に従い、汚れ落ち、拭き残り、帯電防止性能を評価した。評価結果を表３に示す。
【００７６】
【実施例３３】
ヤシ油脂肪酸アミドプロピルジメチルアミノ酢酸ベタイン溶液０．０５質量％、５−クロロ−２−メチル−４−イソチアゾリン−３−オン他混合物（商品名：ＢＳ−２００Ａ、ＬＤ５０（マウス）：４００ｍｇ／ｋｇ以上、ケイ・アイ化成（株）社製）０．１質量％、炭酸水素ナトリウム０．００３質量％を水９９．８５質量％に混合溶解し、帯電防止ワイパー用組成液（湿潤液）を作成した。ワイパー用組成物の引火点はなく、ｐＨは７．１であった。　また、電導率は、１×１０−５Ｓｍ−１以上であった。次にアクリル極細繊維湿式スパンレース不織布（商品名：シャレリアＣ１０３０、繊維比率：アクリル／ポリエステル＝９０％／１０％、目付３０ｇ／ｍ２　旭化成（株）社製）の１００質量部当たり湿潤液が１６０質量部になるように含浸して本発明の帯電防止ワイパーを得た。得られた帯電防止ワイパーを用いて、上記の方法に従い、汚れ落ち、拭き残り、帯電防止性能を評価した。評価結果を表３に示す。
【００７７】
【実施例３４〜３６】
実施例２６で用いた５−クロロ−２−メチル−４−イソチアゾリン−３−オン他混合物とクエン酸１水和物を用いず、殺菌及び除菌操作をしていない井戸水の代わりに次亜塩素酸ナトリウム殺菌された水道水（実施例３４）、濾過除菌された雨水（実施例３５）、蒸留された海水（実施例３６）を用いて全体を１００質量％とした以外は実施例２６と同様にして組成液（湿潤液）を作成した。続いて実施例２６と同様にして帯電防止ワイパーを得て性能評価試験を行なった。帯電防止ワイパーの評価結果を表３に示す。
【００７８】
【比較例５】
実施例２６で用いたワイパー用組成液の代わりに殺菌及び除菌操作をしていない井戸水を用いた以外は実施例２６と同様にしてウェットワイパーを得た。得られたウェットワイパーを用いて、上記の方法に従い、汚れ落ち、拭き残り、帯電防止性能を評価した。評価結果を表３に示す。
【００７９】
【表３】
2004051954.tif 000004
【００８０】
殺菌ワイパーの評価
＜汚れ落ち評価方法＞
メガネ汚れを想定し、以下の操作にて評価試験を行った。
ＯＡフィルターアイセフティ　ＥＶＦ−Ｃ１（コクヨ（株）社製）に人工汚垢を薄く一面に広げる。表面を乾燥させた後、表面の浮いている汚れを乾いた布で拭き取り、ＯＡフィルターに汚れを定着させたものを被洗物とする。殺菌ワイパーで汚れを拭き取り、汚れ落ちの程度を目視にて判定する。
評価基準は以下のとおりである。
◎　被拭材上に人工汚垢が全く残らない。
〇　被拭材上に人工汚垢がほとんど残らない。
△　被拭材上に支障ない程度であるが、人工汚垢が僅かに残る。
×　被拭材上に人工汚垢が残る。
【００８１】
＜拭き残り評価方法＞
汚れ落ち評価で用いた被拭材を、殺菌ワイパーで拭いたあと、目視にて拭き残りを評価する。
評価基準は以下の通りである。
◎　拭き残りが全く観察されない
○　拭き残りがほとんど観察されない
△　支障がない程度であるが、拭き残り僅かに観察される
×　拭き残りが観察される。
【００８２】
＜使用感評価方法＞
汚れ落ち評価を行なった時の使用感を評価した。評価基準は以下の通りである。
〇　手に刺激がほとんど無い
△　手に若干刺激がある。
×　手にヒリヒリする刺激がある。
【００８３】
＜組成液の滅菌率測定法＞
殺菌ワイパー用組成液１０ｍｌに大腸菌懸濁液０．１ｍｌ（１０７ｃｅｌｌ／ｍｌ）を添加し、６０ｓｅｃ後にＳＣＤＬＰ寒天培地（日本製薬（株）社製）に接種して３７℃、２４時間培養を行ない、菌数を測定する。この測定結果を基に添加した菌数に対して殺菌された菌の割合を求める。
【００８４】
＜被拭材の除菌率測定法＞
ステンレスバットに皮膚定在菌懸濁液を接種した後、殺菌ワイパーで拭き取り除菌を行なう。続いて除菌したステンレスバットの中に生理食塩水を加え表面の菌を回収し、寒天培地に接種して３７℃、２４時間培養を行い、菌数を測定する。この測定結果を基に接種した菌数に対して除菌あるいは殺菌された菌の割合を求める。
【００８５】
【実施例３７】
ショ糖ラウリン酸エステル（商品名：コスメライクＬ−１６０、食品添加物、第一工業製薬（株）社製）１質量％、パラオキシ安息香酸アルキル混合物水系エマルジョン（商品名：ネオメッキンス、食品添加物、ＬＤ５０（マウス）：８３５０ｍｇ／ｋｇ、上野製薬（株）社製）２質量％を次亜塩素酸ナトリウム殺菌された水道水９７質量％に混合溶解し、組成液（湿潤液）を作成した。この組成液の滅菌率は、９９．９９％以上であり、ｐＨは７．１で、引火点は出現しなかった。次にアクリル極細繊維湿式スパンレース不織布（商品名：シャレリアＣ１０３０、繊維比率：アクリル／ポリエステル＝９０％／１０％、目付３０ｇ／ｍ２　旭化成（株）社製）の１００質量部当たり湿潤液が２００質量部になるように含浸して本発明の殺菌ワイパーを得た。得られた殺菌ワイパーを用いて、上記の方法に従い、汚れ落ち、拭き残り、使用感、基材の除菌率の評価を行なった。評価結果を表４に示す。
【００８６】
【実施例３８〜４２】
実施例３７で用いたパラオキシ安息香酸アルキル混合物水系エマルジョン１質量％の代わりにパラオキシ安息香酸ブチル（商品名：メッキンス、食品添加物、ＬＤ５０（マウス）：５０００ｍｇ／ｋｇ以上、上野製薬（株）社製）１質量％（実施例３８）、５−クロロ−２−メチル−４−イソチアゾリン−３−オン他混合物（商品名：ＢＳ−２００Ａ、ＬＤ５０（マウス）：４００ｍｇ／ｋｇ以上、ケイ・アイ化成（株）社製）０．１質量％（実施例３９）、塩化ベンザルコニウム（商品名：ＮＩＫＫＯＬ　ＣＡ−１０１、口腔化粧品材料、ＬＤ５０（マウス）：３５０ｍｇ／ｋｇ、日光ケミカル（株）社製）０．６質量％（実施例４０）、デヒドロ酢酸ナトリウム（商品名：デヒドロ酢酸ナトリウム「ウエノ」、食品添加物、ＬＤ５０（マウス）：１０５０ｍｇ／ｋｇ、上野製薬（株）社製）１．０質量％（実施例４１）、フェノキシエタノール（商品名：、口腔化粧品材料、ＬＤ５０（ラット）：１０００ｍｇ／ｋｇ、（株）社製）１．０質量％（実施例４２）を用い、水の含量を調整した以外は実施例３７と同様にして殺菌ワイパーを得た。得られた殺菌ワイパーを用いて、上記の方法に従い、汚れ落ち、拭き残り、使用感を評価した。評価結果を表４に示す。
【００８７】
【実施例４３】
ワサビ中抽出液他（商品名：アモルデンＷＡＳ、食品添加物、大和化学工業（株）社製）３０質量％を殺菌及び除菌操作をしていない井戸水７０質量％に混合溶解し、組成液（湿潤液）を作成した。次にアクリル極細繊維湿式スパンレース不織布の１００質量部当たり湿潤液が２００質量部になるように含浸して本発明の殺菌ワイパーを得た。得られた殺菌ワイパーを用いて、上記の方法に従い、汚れ落ち、拭き残り、使用感を評価した。評価結果を表４に示す。
【００８８】
【実施例４４】
ワサビ中抽出液他５質量％、グレープフルーツエキス他（商品名：パワーアンチ、食品添加物、バイオベンチャーバンク（株）社製）５質量％、ジグリセリンモノラウレート、グリセリンモノデカネート及びデカグリセリンモノラウレートの混合物（商品名：ニコガードＤＬ、食品添加物、日本サーファクタント工業（株）社製）５質量％を蒸留された海水８５質量％に混合溶解し、組成液（湿潤液）を作成した。次にウッドパルプ不織布の１００質量部当たり湿潤液が２００質量部になるように含浸して本発明の殺菌ワイパーを得た。得られた殺菌ワイパーを用いて、上記の方法に従い、汚れ落ち、拭き残り、使用感を評価した。評価結果を表４に示す。
【００８９】
【実施例４５】
天然抽出物（商品名：メルナイトＥＸ−ＳＰ、食品添加物、大和化学工業（株）社製）５質量％を濾過除菌された雨水９５質量％に混合溶解し、組成液（湿潤液）を作成した。次にウッドパルプ不織布の１００質量部当たり湿潤液が２００質量部になるように含浸して本発明の殺菌ワイパーを得た。得られた殺菌ワイパーを用いて、上記の方法に従い、汚れ落ち、拭き残り、使用感を評価した。評価結果を表４に示す。
【００９０】
【実施例４６】
ε−ポリリジン（商品名：ポリリジン、食品添加物、ＬＤ５０（マウス）：５０００ｍｇ／ｋｇ以上、チッソ（株）社製）０．１質量％、ショ糖ラウリン酸エステル０．１質量％、セチルトリメチルアンモニウムサッカリン（商品名：パイオニンＢ−６１１−Ｓ、口腔化粧品材料、竹本油脂（株）社製）０．１質量％を水道水９９．７質量％に混合溶解し、組成液（湿潤液）を作成した。次に、レーヨン系不織布（レーヨン／ＰＥＴ＝９３％／７％）の１００質量部当たり湿潤液が２００質量部になるように含浸して本発明の殺菌ワイパーを得た。得られた殺菌ワイパーを用いて、上記の方法に従い、汚れ落ち、拭き残り、使用感を評価した。評価結果を表４に示す。
【００９１】
【実施例４７】
ε−ポリリジン１質量％、ジグリセリンモノラウレート、グリセリンモノデカネート及びデカグリセリンモノラウレートの混合物１質量％、グリシン１重量％、パラヒドロキシ安息香酸エチル０．０５質量％、パラヒドロキシ安息香酸プロピル０．０５質量％、エタノール３質量％を水道水９３．９質量％に混合溶解し、組成液（湿潤液）を作成した。次にウッドパルプ不織布の１００質量部当たり湿潤液が２００質量部になるように含浸して本発明の殺菌ワイパーを得た。得られた殺菌ワイパーを用いて、上記の方法に従い、汚れ落ち、拭き残り、使用感を評価した。評価結果を表４に示す。
【００９２】
【比較例６】
実施例３７で用いた殺菌ワイパー用組成液の代わりに殺菌及び除菌操作をしていない井戸水を用いた以外は実施例３７と同様にしてウェットワイパーを得た。得られたウェットワイパーを用いて、上記の方法に従い、汚れ落ち、拭き残り、使用感を評価した。評価結果を表４に示す。
【００９３】
【表４】
2004051954.tif 000005
【００９４】
【発明の効果】
本発明により、ガラス、金属、プラスチックス、塗膜等といった表面や人体表面を安全にかつ拭き残りなく清浄にすることが出来る。また、ガラス、プラスチックス、塗膜等といった絶縁体表面を安全に清浄し、かつ帯電防止性を付与することができる。さらに、各種表面を安全に殺菌できる。